(57)【要約】真空要求弁（１０）は、流動性物質を送達できる。弁（１０）は、ハウジング（１１）を有し、これは、近位末端（１４）、遠位末端（１６）、およびその間で通路（２４）を規定する中間セグメント（１８）を有し、ここで、流動性物質は、近位末端（１４）から遠位末端（１６）へと、流れることができる。ハウジング（１１）は、配管であり得る。中間セグメント（１８）に沿って、弁部材（２０）が位置している。弁部材（２０）は、閉鎖位置および開放位置を有し、閉鎖位置では、近位末端（１４）から遠位末端（１６）への流動性物質は、停止され、そして開放位置では、近位末端（１４）から遠位末端（１６）への流動性物質の流れは、停止されない。弁部材（２０）は、閉鎖位置で偏り、そして弁部材（２０）を開放位置に配置するために、通路（２４）を通って、ユーザーが与えた部分真空に応答性である。
2005518506.tif 000002
【特許請求の範囲】
【請求項１】
以下を含む、弁：
ハウジングであって、該ハウジングは、出口チャンバを有し、該出口チャンバは、出口開口部を規定し、該ハウジングは、さらに、第一保持具を有し、該第一保持具は、その間で中間チャンバを規定する第二保持具から間隔を開けて配置され、該第一保持具は、中心開口部を有し、そして該第二保持具は、中心開口部を有し、該ハウジングは、さらに、入口チャンバを有し、該入口チャンバは、入口開口部を規定する；
ダイアフラムであって、該ダイアフラムは、該中間チャンバ内に位置しており、該中間チャンバは、第一チャンバおよび第二チャンバを規定し、該第二チャンバは、排出口を有する；
プランジャーであって、該プランジャーは、該ダイアフラムに連結され、そして該保持具の該中心開口部により、滑り可能に保持され、該プランジャーは、真空ダクトを有し、該真空ダクトは、該第一チャンバと連絡する第一末端および該出口開口部と連絡する第二末端を有し、該プランジャーは、さらに、通路を有し、該通路は、該出口チャンバと連絡する第一末端および第二末端を有する；
ここで、該ダイアフラムは、第一位置および第二位置から移動可能であり、該第一位置では、該通路の該第一末端は、閉塞され、そして該第二位置では、該通路の該第一末端は、該入口チャンバと連絡され、ここで、流動性物質は、該入口チャンバから、該通路を通って、該出口チャンバに流出でき、ここで、該ダイアフラムは、該真空ダクトを通って加えられた部分真空により、移動可能である、
弁。
【請求項２】
前記通路の前記第一末端が、前記ダイアフラムが前記第一位置にあるとき、前記第二保持具により閉塞されている、請求項１に記載の弁。
【請求項３】
前記プランジャーが、ヘッド部分を有し、該ヘッド部分が、前記ダイアフラムが前記第一位置にあるとき、前記第二保持具と係合する、請求項１に記載の弁。
【請求項４】
前記ダイアフラムが、前記第一位置に対して、前記プランジャーを偏らせる、請求項１に記載の弁。
【請求項５】
以下を含む、弁：
側壁；
第一保持具であって、該第一保持具は、第一開口部を含む；
第二保持具であって、該第二保持具は、第二開口部を含み、該側壁ならびに該第一および第二保持具は、ハウジングを規定する；
可撓性ダイアフラムであって、該ダイアフラムは、該ハウジング内に位置しており、外力に応答性であり、そして該ハウジングを、第一および第二チャンバに分割し、該第一チャンバは、排出口を含む；および
プランジャーであって、該プランジャーは、該可撓性ダイアフラムに固定連結され、そして該可撓性ダイアフラムの運動に応答性であり、該プランジャーは、該第一および第二保持具で、それぞれ、該第一および第二開口部により、滑り可能に支持され、そして少なくとも部分的に、該ハウジング内に位置付けられ、該プランジャーは、真空通路および流体通路を含み、該流体通路は、該第一保持具の一部に対して密封可能であり、そして該真空通路は、該第二チャンバと連絡しており、ここで、該真空通路を経由して加えられた真空圧力は、該ダイアフラムの移動を引き起こす、
弁。
【請求項６】
以下を含む、弁：
ハウジングであって、該ハウジングは、出口開口部と入口開口部との間で、そこに流動性物質を通す通路を規定し、該ハウジングは、内壁を有し、該内壁は、該通路を、第一チャンバと第二チャンバとに分割し、該内壁は、内部開口部を有し、該内部開口部は、該第一チャンバおよび該第二チャンバを連絡し、該ハウジングは、さらに、該第一チャンバと連絡するアパーチャを有する；
ダイアフラムであって、該ダイアフラムは、該アパーチャにて、該ハウジングに連結される；
ストップであって、該ストップは、該ダイアフラムに連結され、該ストップは該内部開口部を通り、そしてフランジを有し、該フランジは、該内部開口部と密封接触する；
該ダイアフラムは、第一部分から第二部分へと偏向可能であり、ここで、該偏向可能部材が該第一部分にあるとき、該ストップは、該内部開口部と密封接触して、該内部開口部を閉鎖し、また、該ダイアフラムが該第二位置にあるとき、該ストップは、該第二開口部から間隔を開けて配置され、該内部開口部を開放し、ここで、該流動性物質は、該通路を通ることができる、
弁。
【請求項７】
前記ダイアフラムが、指標圧力に敏感であり、前記第一部材が、第二圧力を受け、該第二圧力が該指標圧力未満であるとき、該ダイアフラムが、前記第一位置から前記第二位置へと偏向可能である、請求項６に記載の弁。
【請求項８】
前記ダイアフラムが、ドーム形である、請求項６に記載の弁。
【請求項９】
前記ストップが、プランジャーを有し、該プランジャーが、細長テーパ長を有する、請求項６に記載の弁。
【請求項１０】
前記内部開口部が、テーパ付き内面を有し、前記ストップ部材が、周辺曲面を有し、該周辺曲面が、前記ダイアフラムが前記第二位置にあるとき、該テーパ付き内面から間隔を開けて配置されている、請求項６に記載の弁。
【請求項１１】
前記ダイアフラムが、前記通路を通って加えた部分真空により、前記第一位置から前記第二位置へと移動可能である、請求項６に記載の弁。
【請求項１２】
前記ダイアフラムが、ユーザーが押し下げて該ダイアフラムを前記第二位置に置くように、改造されている、請求項６に記載の弁。
【請求項１３】
以下を含む、弁：
ハウジングであって、該ハウジングは、近位末端、遠位末端、流体通路および側壁を有し、該側壁は、外部側壁面および内部側壁面を有する；
弁部材であって、該弁部材は、該ハウジングの中間部で、該流体通路に位置付けられている；および
第一支持部材であって、該第一支持部材は、該内部側壁面に装着され、そして該ハウジングの一部に沿って伸長しており、該支持部材は、該側壁の偏向と同時起動されて、該弁部材の開放を制御する
弁。
【請求項１４】
前記支持部材が、リブを含む、請求項１３に記載の弁。
【請求項１５】
前記リブが、前記近位末端の近位から前記弁部材の近位まで伸長する、請求項１４に記載の弁。
【請求項１６】
さらに、第二支持部材を含む、請求項１３に記載の弁。
【請求項１７】
前記ハウジングが、実質的に円形の断面形状を有し、ここで、前記第二支持部材が、円周に沿って、前記第一支持部材から間隔を開けて配置されている、請求項１６に記載の弁。
【請求項１８】
前記リブが、ほぼアーチ形の縦断面を有する、請求項１４に記載の弁。
【請求項１９】
前記リブが、最小高さから最大高さまで、高さを増し、ここで、該最大高さが、前記近位末端に近接している、請求項１４に記載の弁。
【請求項２０】
前記リブが、側縁を有し、該側縁が、該リブが前記内部側壁から離れて伸長するにつれて、内向きおよび上向きにテーパが付けられている、請求項１３に記載の弁。
【請求項２１】
前記弁部材が、前記ハウジングの前記側壁に加えられた力に応答して、閉鎖位置から開放位置へと移動できる、請求項１３に記載の弁。
【請求項２２】
前記リブが、前記ハウジングが完全に崩壊するのを阻止するのに有効である、請求項１３に記載の弁。
【請求項２３】
前記弁部材が、入口および出口を有し、そして該出口に負圧を加えることに応答して、前記閉鎖位置から前記開放位置へと移動できる、請求項１３に記載の弁。
【請求項２４】
前記弁部材が、カモノハシ型弁である、請求項１３に記載の弁。
【請求項２５】
以下を含む、弁：
ハウジングであって、該ハウジングは、流体通路、近位末端および遠位末端ならびに側壁を有し、該側壁は、外部側壁面および内部側壁面を有する；および
弁部材であって、該弁部材は、前記ハウジングの中間部で、前記流体通路に位置付けられ、そして該弁部材を開くように、該側壁の偏向に応答性である、
弁。
【請求項２６】
前記弁部材が、前記出口に負圧を加えることにより、開くことができる、請求項２５に記載の弁。
【請求項２７】
前記弁部材が、カモノハシ型弁である、請求項２５に記載の弁。
【請求項２８】
以下を含む、弁：
ハウジング；
弁部材であって、該弁部材は、該ハウジングに位置付けられ、そして開放位置から閉鎖位置へと移動可能であり、該開放位置では、流体は、該ハウジングを通って流れることができ、そして該閉鎖位置では、流体は、該ハウジングを通って流れることができない；および
滑り可能部材であって、該滑り可能部材は、該ハウジング内で往復運動するように取り付けられ、そして該ハウジングに加えられた圧力に応答性であり、該滑り可能部材は、第一位置から第二位置へと移動可能であり、該第一位置は、該弁部材と接触して、該弁部材を閉鎖位置で保持し、そして該第二位置では、該弁部材は、該開放位置に移動する、
弁。
【請求項２９】
前記滑り可能部材が、そこを通る流体流れ経路を規定する、請求項２８に記載の弁。
【請求項３０】
さらに、弾性部材を含み、該弾性部材が、前記滑り可能部材と協同係合して、該滑り可能部材を第一位置に偏らせる、請求項２８に記載の弁部材。
【請求項３１】
前記滑り可能部材が、シールを有し、該シールが、前記弁部材の一部と係合するチャンバを有する、請求項２８に記載の弁部材。
【請求項３２】
前記弁部材が、カモノハシ弁であり、該カモノハシ弁が、傾斜した外面を有する、請求項２８に記載の弁部材。
【請求項３３】
前記シールが、チャンバを有し、該チャンバが、内向きテーパ付き壁を有し、該内向きテーパ付き壁が、該カモノハシ弁傾斜外面に嵌る寸法にされている、請求項３１に記載の弁部材。
【請求項３４】
以下を含む、弁：
ハウジングであって、該ハウジングは、内面を有し、該内面は、出口開口部と入口開口部との間で、そこに流動性物質を通す通路を規定する；
可撓性ブラダーであって、該可撓性ブラダーは、該通路内に位置しており、該可撓性ブラダーは、第一位置を有し、該第一位置では、該ブラダーは、該内面と密封係合して、物質の流動を阻止し、該ブラダーは、さらに、第二位置を有し、該第二位置では、該ブラダーは、該内面から間隔を開けて配置され、ここで、流動性物質は、該通路を通ることができる、
弁。
【請求項３５】
前記可撓性ブラダーが、該ブラダー内で、密封リングを有する、請求項３４に記載の弁。
【請求項３６】
さらに、保持具を有し、該保持具が、前記内面と係合し、該保持具が、前記可撓性ブラダーと連結された基部を有する、請求項３４に記載の弁。
【請求項３７】
前記保持具が、そこを通る複数の穴を有する、請求項３６に記載の弁。
【請求項３８】
前記可撓性ブラダーが、加圧容器である、請求項３４に記載の弁。
【請求項３９】
さらに、支持部材を含み、該支持部材が、前記内面から前記通路に伸長し、そして前記可撓性ブラダーと前記出口との間に位置付けられる、請求項３４に記載の弁。
【請求項４０】
前記支持部材が、複数のリブを含む、請求項３９に記載の弁。
【請求項４１】
前記可撓性ブラダーが、前記出口から前記通路を通って加えた部分真空により、前記第一位置から前記第二位置へと移動する、請求項３４に記載の弁。
【請求項４２】
前記ハウジングが、チューブを含む、請求項３４に記載の弁。
【請求項４３】
容器からユーザーに流動性物質を送達する配管であって、該配管は、以下を含む：
通路であって、近位末端および遠位末端、ならびにその間の中間セグメントを有し、ここで、流動性物質は、該近位末端から該遠位末端へと、該通路を通って流れることができる；および
弁部材であって、該弁部材は、該中間セグメントに沿って位置しており、該弁部材は、閉鎖位置および開放位置を有し、該閉鎖位置では、該近位末端から該遠位末端への該流動性物質の流れは、停止され、そして該開放位置では、該近位末端から該遠位末端への該流動性物質の該流れは、停止されず、該弁部材は、該閉鎖位置で偏り、そして該弁部材を該開放位置に配置するために、該ユーザーが与えた外力に応答性であり、該弁部材は、可撓性ブラダーを含み、該可撓性ブラダーは、該ユーザーが加えた該外力に応答性であり、ここで、該可撓性ブラダーは、該弁部材が該閉鎖位置にあるとき、該通路と実質的に液密シールを形成する、
配管。
【請求項４４】
以下を含む、弁：
ハウジング；
第一流体導管であって、該第一流体導管は、該ハウジングと流体連絡している；
弁部材であって、該弁部材は、該ハウジング内で往復運動するように取り付けられ、該弁部材は、そこを通る第二流体導管を規定し、そして第一位置から該ハウジングを通って第二位置へと移動可能であり、該第一位置では、該第一流体導管は、該第二流体導管に関して、実質的に同心的に配置されて、第三流体導管を提供し、そして該第二位置では、該第一流体導管は、該第二流体導管と流体連絡していない；および
真空導管であって、該真空導管は、該ハウジングと流体連絡しており、ここで、該弁部材は、該真空導管を通って該ハウジングに加えた負圧に応答性であり、該弁部材は、該第二位置から該第一位置へと移動する、
弁。
【請求項４５】
さらに、偏向部材を含み、該偏向部材が、前記弁部材を前記第二位置に偏らせる、請求項４４に記載の弁。
【請求項４６】
前記弁部材が、前記ハウジングを、拡大チャンバと真空チャンバとに分割する、請求項４４に記載の弁。
【請求項４７】
前記真空導管が、前記真空チャンバと流体連絡している、請求項４４に記載の弁。
【請求項４８】
前記偏向部材が、前記真空チャンバ内に位置付けられる、請求項４５に記載の弁。
【請求項４９】
前記偏向部材が、圧縮バネである、請求項４４に記載の弁。
【請求項５０】
以下を含む、弁：
ハウジングであって、該ハウジングは、通路を有し、該通路は、入口開口部および出口開口部、ならびにそれらの間の中間セグメントを有し、ここで、流動性物質は、該通路を通って、該入口開口部から該出口開口部へと流れることができる；および
ストップであって、該ストップは、そこを通るチャンネルを有し、該ストップは、該中間セグメントにて、第一位置から第二位置へと移動可能であり、該第一位置では、該チャンネルは、該入口開口部および該出口開口部と整列しておらず、そして該第二位置では、該チャンネルは、該入口開口部および該出口開口部と整列しており、ここで、流動性物質は、該通路を通って流れることができ、該ストップは、該第一位置に偏る；
真空チャンバであって、該真空チャンバは、該中間セグメントに位置している；
真空ダクトであって、該真空ダクトは、該真空チャンバと連絡しており、ここで、該真空ダクトに加えられた部分真空は、該ストップを該第二位置に移動し、ここで、流動性物質は、該通路を通って流れることができる、
弁。
【請求項５１】
以下を含む、弁：
ハウジングであって、該ハウジングは、出口開口部と入口開口部との間で、そこに流動性物質を通す通路を規定し、該ハウジングは、内面を有する；
ゲートであって、該ゲートは、該内面にヒンジで連結され、該ゲートは、第一位置を有し、該第一位置では、該ゲートは、該内面と密封係合しており、ここで、該流動性物質は、該ゲートが該第一位置に偏って、該通路を流れることができず、該ゲートは、第二位置を有し、該第二位置では、該流動性物質は、該通路を通って流れることができ、該ゲートは、該通路を通って加えた部分真空により、該第二位置に移動可能である、
弁。
【請求項５２】
以下を含む、弁：
ハウジングであって、該ハウジングは、出口開口部と入口開口部との間で、そこに流動性物質を通す通路を規定し、該ハウジングは、内面を有し、該通路は、第一チャンバおよび第二チャンバならびにそれらの間の界面領域を有する；
ゲートであって、該ゲートは、第一部分および第二部分を有し、該ゲートは、該第一部分と該第二部分との間の位置で、該界面で、該内面にヒンジで連結され、該ゲートは、第一位置を有し、該第一位置では、該ゲートは、該第一のチャンバをシールするように該内面と密封係合しており、ここで、該流動性物質は、該通路を流れることができず、該ゲートは、第二位置を有し、該第二位置では、該第一部分は、該内面から離れて間隔を開けて配置され、ここで、該第一チャンバは、該第二チャンバと連絡しており、ここで、該流動性物質は、該通路を流れることができる；
弾性部材であって、該弾性部材は、一端および他端を有し、該一端は、該第二チャンバで、該内面に連結され、そして該他端は、該第二部分に連結されて、該ゲートを該第一部分に偏らせる；
該第一チャンバにある該ハウジングの第一チャンバ部分であって、該ゲートの該第二部分および該弾性部材は、該第二チャンバ内で、真空チャンバを集合的に規定し、該第一チャンバ部分は、排出口を有し、ここで、該第一チャンバに加えられた部分真空は、該ゲートを、該第二位置に移動する、
弁。
【請求項５３】
容器からユーザーへと流体物質を送達する配管であって、該医用配管は、以下を含む：
通路であって、近位末端および遠位末端、ならびにその間の中間セグメントを有し、ここで、流動性物質は、該近位末端から該遠位末端へと、該通路を通って流れることができる；および
弁部材であって、該弁部材は、該中間セグメントに沿って位置しており、該弁部材は、閉鎖位置および開放位置を有し、該閉鎖位置では、該近位末端から該遠位末端への該流動性物質の流れは、停止され、そして該開放位置では、該近位末端から該遠位末端への該流動性物質の該流れは、停止されず、該弁部材は、該閉鎖位置で偏り、そして該弁部材を該開放位置に配置するために、該ユーザーが与えた該外力に応答性であり、該弁部材は、ポート、ゲート、真空チャンバおよび排出口を含み、該ポートは、該通路内に位置しており、該ゲートは、該ユーザーが与えた外力に応答性であり、該排出口は、該側壁を通り、そして該真空チャンバ内に位置しており、該ゲートは、第一部分、第二部分およびヒンジ部材を有し、該第一および第二部分は、該ヒンジ部材で分離されており、該第一部分は、偏って、該ポートにて、実質的に液密シールを形成し、該第二部分は、偏って、該通路内にて、該真空チャンバを形成し、該ヒンジ部材は、該側壁の一部に移動可能に装着される、
弁。
【請求項５４】
容器からユーザーに流体物質を送達する可撓性配管であって、該配管は、以下を含む：
近位末端；
遠位末端；
中間セグメントであって、該中間セグメントは、該近位末端と該遠位末端との間にある；
通路であって、該通路は、該近位末端と該遠位末端との間にあり、ここで、流体物質は、該近位末端から該遠位末端へと流れることができる；および
弁部材であって、該弁部材は、該中間セグメントに沿って位置しており、該弁部材は、閉鎖位置および開放位置を有し、該閉鎖位置では、該近位末端から該遠位末端への該流動性物質の流れは、停止され、そして該開放位置では、該近位末端から該遠位末端への該流動性物質の該流れは、停止されず、該弁部材は、該閉鎖位置に偏り、そして該弁部材を該開放位置に配置するために、該ユーザーが該配管に与えた外力に応答性である、
配管。
【請求項５５】
容器からユーザーに流体物質を送達する配管であって、該配管は、以下を含む：
近位末端；
遠位末端；
中間セグメントであって、該中間セグメントは、該近位末端と該遠位末端との間にある；
通路であって、該通路は、該近位末端と該遠位末端との間にあり、ここで、流体物質は、該近位末端から該遠位末端へと流れることができる；および
弁部材であって、該弁部材は、該中間セグメントに沿って位置しており、該弁部材は、閉鎖位置および開放位置を有し、該閉鎖位置では、該近位末端から該遠位末端への該流動性物質の流れは、停止され、そして該開放位置では、該近位末端から該遠位末端への該流動性物質の該流れは、停止されず、該弁部材は、該閉鎖位置で偏り、そして該弁部材を該開放位置に配置するために、該通路を通って該ユーザーが与える部分真空の形態の該ユーザーが与えた外力に応答性である、
配管。
【請求項５６】
前記弁部材が、細孔を含み、該細孔が、拡張中心部を有し、該中心部が、前記閉鎖位置で、実質的に密封されており、そして前記ユーザーが与える前記外力に応答性であり、ここで、該外力が該ユーザーにより供給されて該弁部材が該開放位置にあるとき、該拡張中心部が、拡大して、そこに流体物質の流れを通す、請求項５５に記載の配管。
【請求項５７】
前記細孔の前記拡張中心部が、内向きテーパ付き可撓性カモノハシ部分を含み、該内向きテーパ付き可撓性カモノハシ部分が、ヒンジ部分および分離可能スリットを有し、該ヒンジ部分が、前記医用配管の前記側壁に接合され、そして該分離可能スリットが、前記配管の前記通路内に位置しており、前記内壁から離れており、該分離可能スリットが、前記弁部材が前記閉鎖位置にあるとき、実質的に密封され、前記ヒンジが、前記外力に応答性であり、ここで、該内向きテーパ付き可撓性カモノハシ部分が、該外力を加えると、内向きに位置ずれし、そして該分離可能スリットが分かれて、そこに前記流体物質の流れを通す、請求項５４に記載の配管。
【請求項５８】
前記外力が、前記ユーザーが与えた部分真空圧力である、請求項５５に記載の配管。
【請求項５９】
前記配管の前記側壁が、前記ユーザーが供給した前記真空圧力に応答して、部分的に崩壊し、前記内向きテーパ付き可撓性カモノハシ部分の一部が、該真空圧力を加えると、内向きに位置ずれし、そして前記分離可能スリットが、それに応答して分かれる、請求項５８に記載の配管。
【請求項６０】
さらに、支持部材を含み、該支持部材が、前記配管の前記通路内に位置しており、該支持部材が、前記ユーザーが与えた前記真空圧力に応答して該配管が完全に圧迫されるのを防止する、請求項５８に記載の配管。
【請求項６１】
前記支持部材が、前記内壁に接合され、そして前記弁部材と前記配管の前記遠位末端との間にある、請求項６１に記載の配管。
【請求項６２】
前記弁部材が、さらに、ピストンおよび排出口を含み、該排出口が、前記配管の前記側壁を通り、そして前記内向きテーパ付き可撓性カモノハシ部分と前記ピストンとの間に位置しており、該ピストンが、前記ユーザーが与えた前記外力に応答性である、請求項５７に記載の配管。
【請求項６３】
前記ピストンが、前記ヒンジと前記配管の前記遠位末端との間に位置している、請求項６２に記載の配管。
【請求項６４】
前記ピストンが、そこを通る中心チャンバを有し、前記内向きテーパ付き可撓性カモノハシ部分の前記分離可能スリットが、前記中心チャンバ内に位置しており、ここで、該中心チャンバが、前記弁部材が前記閉鎖位置にあるとき、該分離スリットを実質的に密封して維持する力を与える、請求項６２に記載の配管。
【請求項６５】
前記ピストンが、弾性部材を含み、該弾性部材が、該ピストンを前記内向きテーパ付き可撓性カモノハシ部分の方へと偏らせる、請求項６２に記載の配管。
【請求項６６】
前記弁部材が、保持具および管状部材を含み、該保持具が、前記ピストンの下流に位置しており、そこを通る穴を有し、そして該管状部材が、第一末端および第二末端を有し、該第一末端が、該保持具の該穴と摩擦的に係合し、そこを通って滑り可能であり、そして該第二末端が、該ピストンに接合され、前記弾性部材が、該保持具と該ピストンとの間に位置している、請求項６２に記載の配管。
【請求項６７】
前記ピストンが、前記ユーザーが与えた前記外力に応答して、前記配管の前記遠位末端に向かって、前記内向きテーパ付き可撓性カモノハシ部分から離れて横断し、該ピストンの前記中心チャンバにより与えられた力が、前記分離可能スリットから取り除かれ、ここで、該分離可能スリットが、分かれて、そこに前記流体物質の流れを通す、請求項６２に記載の配管。
【請求項６８】
前記保持具が、前記中心穴から離れた周辺開口部を含み、前記ユーザーが与えた前記外力を前記ピストンに作用させる、請求項６６に記載の配管。
【請求項６９】
前記排出口が、疎水性フィルターを含む、請求項６２に記載の配管。
【請求項７０】
前記弁部材が、プランジャーを含み、該プランジャーが、そこを通る流体通路を有し、該流体通路が、該弁部材が前記閉鎖位置にあるとき、閉塞され、該プランジャーが、該弁部材内を滑り可能であり、そして前記ユーザーにより供給された前記外力に応答性であり、ここで、該流体通路が、前記開放位置では、閉塞されておらず、そこに前記流体物質の流れを通す、請求項５５に記載の配管。
【請求項７１】
前記弁部材が、前記通路内にプランジャーハウジングを含み、前記プランジャーが、該プランジャーハウジング内に位置しており、それと実質的に液密シールを形成し、前記ユーザーが与えた前記外力に応答して、その中で滑り可能である、請求項７０に記載の配管。
【請求項７２】
前記弁部材が、弾性部材を含み、該弾性部材が、前記流体通路が前記閉鎖位置で前記プランジャーハウジングの一部に対して閉塞されるように、前記プランジャーを偏らせる、請求項７１に記載の配管。
【請求項７３】
前記プランジャーハウジングが、排出口を含み、該排出口が、前記医用配管の前記側壁を通る、請求項７１に記載の配管。
【請求項７４】
前記プランジャーハウジングが、真空チャンバおよび排出口チャンバを含み、前記弾性部材が、該真空チャンバ内に位置しており、そして前記排出口が、該排出口チャンバ内に位置している、請求項７２に記載の配管。
【請求項７５】
前記流体通路が、前記弁が前記閉鎖位置にあるとき、前記プランジャーハウジングの一部に対して実質的に密封されている、請求項７１に記載の配管。
【請求項７６】
さらに、真空ダクトおよび流体ダクトを含み、該真空ダクトおよび該流体ダクトが、前記真空部材と前記配管の前記遠位末端との間で、前記通路内に位置しており、ここで、前記プランジャーの前記流体通路が、前記弁部材が前記開放位置にあるとき、前記流体ダクトと整列されている、請求項７５に記載の配管。
【請求項７７】
前記真空圧力が、前記真空ダクトを通って加えられる、請求項７６に記載の配管。
【請求項７８】
前記プランジャーが、前記真空圧力に応答して、前記弾性部材に押し付けられて接触し、ここで、前記流体通路が、前記流体ダクトと整列され、そして前記流体物質の流れが、そこを通る、請求項７５に記載の配管。
【請求項７９】
前記弁部材が、可撓性ブラダーを含み、該可撓性ブラダーが、前記ユーザーが供給した前記外力に応答性である、請求項５５に記載の配管。
【請求項８０】
前記可撓性ブラダーが、前記弁部材が前記閉鎖位置にあるとき、該弁部材の一部と実質的な液密シールを形成する、請求項７９に記載の配管。
【請求項８１】
前記弁部材が、保持具を含み、該保持具が、前記配管の前記内壁から内向きに伸長しており、該保持具が、そこを通る流動穴を有し、該ブラダーの一部が、該保持具に接合されている、請求項８０に記載の配管。
【請求項８２】
前記ユーザーにより与えられた前記外力が、部分真空圧力である、請求項８１に記載の配管。
【請求項８３】
前記可撓性ブラダーが、前記真空圧力に応答して、前記通路の長さに沿って、偏向する、請求項７９に記載の配管。
【請求項８４】
前記可撓性ブラダーが、シーリングリングを含み、そして前記弁部材が、該シーリングリングを受容するレシーバを含み、該シーリングリングおよび該レシーバが、該弁部材が前記閉鎖位置にあるとき、協同して、実質的に液密シールを形成する、請求項７９に記載の配管。
【請求項８５】
さらに、支持部材を含み、該支持部材が、前記内壁の長さに沿って、前記弁部材から前記医用配管の前記遠位末端へと伸長している、請求項７９に記載の配管。
【請求項８６】
前記支持部材が、複数のリブを含み、該複数のリブが、前記内壁から内向きに伸長しており、ここで、前記通路の断面積が、該複数のリブにより、減少される、請求項７９に記載の配管。
【請求項８７】
前記弁部材が、ポート、ゲート、真空チャンバおよび排出口を有し、該ポートが、前記通路内に位置しており、該ゲートが、前記ユーザーが与えた前記外力に応答性であり、該排出口が、前記側壁を通り、そして前記真空チャンバ内に位置しており、該ゲートが、第一部分、第二部分およびヒンジ部材を有し、該第一および第二部分が、該ヒンジ部材で分離されており、該第一部分が、偏って、該ポートにて、実質的に液密シールを形成し、該第二部分が、偏って、該通路内にて、該真空チャンバを形成し、該ヒンジ部材が、該側壁の一部に移動可能に装着される、請求項５５に記載の配管。
【請求項８８】
前記側壁の前記一部が、支点を含み、前記ヒンジが、該支点に移動可能に装着され、ここで、前記ゲートが、該支点の周りで旋回する、請求項８７に記載の配管。
【請求項８９】
前記弁部材が、前記ゲートを偏らせる弾性部材を含む、請求項８８に記載の配管。
【請求項９０】
前記弾性部材が、前記ゲートの一部に固定して装着されている、請求項８９に記載の配管。
【請求項９１】
前記弾性部材が、前記弁部材を前記開放位置から前記閉鎖位置へと戻す力を与える、請求項９０に記載の配管。
【請求項９２】
前記支点が、前記医用配管の前記側壁から内向きに伸長して、前記通路に入る、請求項８８に記載の配管。
【発明の詳細な説明】
【技術分野】
【０００１】
（技術分野）
本発明は、一般に、流体容器または配管と併用される弁に関し、さらに特定すると、流体容器に関連したまたは配管内の真空要求弁に関する。
【背景技術】
【０００２】
（背景従来技術）
医療分野では、有益な薬剤は、しばしば、重合体配管を通って、患者に送達される。これらの有益な薬剤の量を厳重に管理しなければならないとき、有益な薬剤は、典型的には、その配管を経由して、静脈内で送達され、そして精密ポンプにより、調節される。しかしながら、しばしば、患者に導入される有益な薬剤は、厳重に管理する必要はない。これらの場合、有益な薬剤は、典型的には、経口的に、患者に導入される。
【０００３】
有益な薬剤の経口投与もまた、重合体配管により、達成される。有益な薬剤を容器から患者に移動するために、配管の長さの一端は、有益な薬剤に接触されるのに対して、その配管の他端は、患者の口に挿入される。患者は、次いで、この容器から配管を通って患者の口へと有益な薬剤を引き出すのに必要な真空圧力を与える。
【０００４】
この送達方法に付随した欠点がある。例えば、患者は、しばしば、眠気を引き起こす薬剤で、鎮静化または投薬される。麻酔効果により引き起こされる術後の眠気もまた、一般的に起こる。それゆえ、患者は、しばしば、眠気の結果として、非自発的な無意識状態に陥る。これは、しばしば、有益な薬剤の経口投与中に起こり、この場合、患者は、その容器から有益な薬剤を引き出すのに必要な真空圧力を与えている。
【０００５】
患者が無意識状態に陥ると、有益な薬剤は、典型的には、こぼれて、無駄が生じ、望ましくない。それに加えて、こぼれによって引き起こされた汚れは、病院のスタッフが処理しなければならない。何回となく、患者のガウンを変えなければならない；寝床は、取り替えなければならない；その周囲の床は、モップで拭わなければならない。これは、購入品が枯渇するので、病院にとって、非常に費用がかかり、通常はやりがいのある作業をしている病院のスタッフを拘束することになる。
【０００６】
類似の問題はまた、流体容器一般において経験される。例えば、こぼれの問題はまた、水、清涼飲料、スポーツドリンク、アルコール飲料などを含有するのに通例使用される流体容器に関連している。使用が簡単で製造が経済的であって、こぼれの問題を検討できるこのような容器に適切な栓は、開発されていない。類似の問題は、工業および種々の機械技術（例えば、エンジンなど）で使用される他の種類の流体容器でも経験され得る。例えば、工業環境で流体のこぼれと共に生じる問題は、よく知られており、ここで、苛性化学物質または危険な化学物質のこぼれにより、相当な清掃費用がかかるだけでなく、作業者を危険な場所に置くおそれがある。
【０００７】
本発明は、これらの問題および他の問題を解決するために、提供される。
【発明の開示】
【課題を解決するための手段】
【０００８】
（発明の要旨）
本発明は、流動性物質を分配できる真空要求弁を提供する。好ましい１実施形態では、この真空要求弁は、流体容器に装着される。
【０００９】
本発明の目的は、ユーザーが供給した外力により開放可能な弁を含む配管を提供することにある。該配管は、一般に、側壁、近位末端、遠位末端、中間セグメントおよび弁部材を含む。該側壁は、内壁および外壁を含む。該内壁は、流体物質の移動用に適合された通路を規定する。該中間セグメントは、該近位末端と該遠位末端との間にある。該弁部材は、該中間セグメントに沿って位置しており、そして閉鎖位置および開放位置を有し、該閉鎖位置では、該近位末端から該遠位末端への該流動性物質の流れは、停止され、そして該開放位置では、該流動性物質は、該近位末端から該遠位末端へと流れることができる。該弁部材は、該閉鎖位置で偏り、そして該弁部材を該開放位置に配置するために、該ユーザーが与えた外力に応答性である。
【００１０】
本発明のさらに他の目的は、ダイアフラムを含む弁部材を有する配管を提供することにある。該弁部材はまた、ポートおよびプランジャーを含む。該ダイアフラムは、ユーザーが供給した外力に応答性であり、該ダイアフラムの運動は、該外力に応答して、該弁部材を開放位置に置く。該プランジャーは、第一末端および第二末端を有し、該第一末端は、該ダイアフラムに接合され、そして該第二末端は、該ダイアフラムの下面から伸長している。該プランジャーの該第二末端は、該弁部材が閉鎖位置にあるとき、実質的に、該ポートを塞ぐ。
【００１１】
本発明のさらに他の目的は、細孔を含む弁部材を有する配管を提供することにある。該細孔は、拡張中心部を有する。該拡張中心部は、前記外力に応答性であり、そして前記閉鎖位置で実質的に密封されている。該拡張中心部は、拡大または拡張して、そこに流体物質の流れを通す。
【００１２】
本発明のさらに他の目的は、ポペット、スプールまたはプランジャーを利用する弁部材を有する配管を提供することにある。該弁部材はまた、プランジャーハウジングを含む。該プランジャーは、該プランジャーハウジング内に位置しており、それと実質的に液密シールを形成する。該プランジャーは、前記ユーザーが与えた前記外力に応答して、その中で滑り可能である。
【００１３】
本発明のさらに他の目的は、可撓性ブラダーを含む弁部材を有する配管を提供することにある。該可撓性ブラダーは、該ユーザーが加えた該外力に応答性である。前記閉鎖位置では、該可撓性ブラダーは、該弁部材の一部と共に、実質的に液密シールを形成する。該弁部材はまた、保持具を含み、該保持具は、前記配管の前記内壁から内向きに伸長している。該保持具は、流動穴を有し、そこを通って流体物質を流す。該ブラダーの一部は、該保持具に接合されている。
【００１４】
本発明のさらに他の目的は、機械的ゲートを含む弁部材を有する配管を提供することにある。該弁部材は、ポート、ゲート、真空チャンバおよび排出口を有し、該ポートは、前記通路内に位置しており、該ゲートは、前記ユーザーが与えた前記外力に応答性であり、該排出口は、前記真空チャンバ内に位置している。該ゲートは、ヒンジ部材により第二部分から分離された第一部分を有する。該第一部分は、該ポートにて、実質的に液密シールを形成するように偏る。該第二部分は、該通路内にて、該真空チャンバを形成するように偏る。該ヒンジ部材は、該側壁の一部に移動可能に装着される。
【００１５】
本発明の他の特徴および利点は、以下の図面と関連して、以下の明細書から明らかとなる。
【００１６】
（詳細な説明）
本発明は、多くの異なる様式の実施形態の影響を受けるものの、本発明の開示が本発明の原理の１つの例示と見なされるべきであり本発明の広範な局面を例示の実施形態に限定するようには解釈されないことを理解して、本発明の好ましい実施形態が図面で示され本明細書中で詳細に記述されている。
【００１７】
図１〜２６を最初に参照すると、本発明の真空要求弁が開示され、これは、一般に、参照番号１０で示されている。好ましい１実施形態では、弁１０は、管状構造で具体化され得、そして配管１０と呼ばれ得る。弁または配管１０（これは、１実施形態では、医用配管１０であり得る）は、一般に、細長側壁１２、近位末端１４、遠位末端１６、中間セグメント１８および弁部材２０を含む。配管１０は、一般に、この弁のハウジングと考えることができる。細長側壁１２は、内壁２２を有し、これは、通路２４を規定し、そこを通って、流動性物質または流体物質の流れが移動できる。中間セグメント１８は、近位末端１４を遠位末端１６に接合する。遠位末端１６は、ユーザーの口に挿入するように適合されているのに対して、近位末端１４は、一般に、容器に連結するように適合されている。１実施形態では、１実施形態では、この容器は、例えば、図１で示すように、重合体医用容器２０であり得る。しかしながら、近位末端１４は、本発明の精神から逸脱することとなく、医用配管のさらに遠くの長さに連結できるか、流体運搬容器に直接挿入できることが分かる。さらに、本明細書中で開示された弁部材２０は、流体容器と直接一体化され得ることが理解できるはずである。さらに、本明細書中で開示された弁またはその部品は、可撓性重合体材料（例えば、医用配管および容器の製造で典型的に使用される重合体材料）から製造され得ることが理解できるはずである。
【００１８】
弁部材２０は、一般に、配管１０の中間セグメント１８内に位置しており、そして近位末端１４から通路２４を通って遠位末端１６への流体の流れを調節する。弁部材２０は、閉鎖位置（例えば、図２で示す）で偏らされ、ここで、通路２４を通る流体物質は、弁部材２０の一部により、阻止または停止される。ユーザーが与える外力は、通路２４から閉塞または制限が取り除かれるように、閉鎖位置から開放位置へと弁部材２０を起動し（例えば、図３）、この流体物質は、要求弁１０または配管１０を通って、流れることができる。加えられた外力は、通路２４を通って加えられた部分真空圧力であり得る。この真空圧力は、好ましくは、ユーザーにより加えられ、人がストローを使う様式と類似して、口でこの医用配管の遠位末端１６を内向きに引き出す。あるいは、また、ユーザーが弁部材２０の一部に正の力（これは、閉鎖位置から開放位置へと弁部材２０を移動する）を与え得る。いずれかの場合、弁部材２０から外力が取り除かれるとき、この閉塞または制限が回復され、弁部材２０は、閉鎖位置に自動的に戻る。さらに、この部分真空はまた、注射器、ポンプまたは他の機械的手段により、加えることができることが分かる。
【００１９】
弁部材２０の偏向は、特に、有益である。ユーザーが流体物質（例えば、水、医薬品または任意の流動性物質など）の流れを必要とするとき、ユーザーは、弁部材２０の一部に外力を加えて、この通路を通ってユーザーの口に至る流れを起動する。一旦、この外力が中断されると、この流れは、停止される。これは、例えば、医療環境では、患者が流体物質の投与中に眠り込むことができるので、有用である。もし、この流れが、自動的に中断されないなら、それは、通路２４を通って流れ続け得る。それゆえ、この流体物質は、無駄になり、散らかって、しばしば、ユーザーのガウンを替える必要があり、寝床を替える必要があり、および／または周囲の床をモップで拭う必要がある。これらの出来事は、高価な病院の資金と関連し得るか、単に、会社経営の妨害となり得る。
【００２０】
図１〜３を参照すると、１形態の真空要求弁１０が開示されている。この弁は、弁部材２０を有し、これは、ダイアフラム３０を利用する。この実施形態では、弁部材２０は、可撓性ダイアフラム３０を含む。弁１０は、さらに、ハウジング１１を有し、これは、第一および第二保持器３２、３４、または上部および下部保持器３２、３４を有する。保持器３２、３４は、ハウジング１１内で、中間チャンバ３１を規定するように間隔を開けて配置されている。このハウジングには、排出口穴３８が設けられている。ハウジング１１は、出口チャンバ２３を有し、これは、出口開口部２５を規定している。ハウジング１１は、さらに、入口チャンバ２７を有し、これは、入口開口部２９を規定している。弁１０は、さらに、プランジャー３６を有する。可撓性ダイアフラム３０は、ユーザーが与えた外力に応答性であり、閉鎖位置（図２で示す）から開放状態（図３で示す）へと弁部材２０を起動する。
【００２１】
可撓性ダイアフラム３０は、側壁１２の内壁２２から中間チャンバ３１内へと、通路２４に内向きに伸長している。ダイアフラム３０は、上面４０および下面４２を有する。可撓性ダイアフラム３０の外周部分４４は、可撓性ダイアフラム３０が近位末端１４に向かって下流または遠位末端１６に向かって上流にいずれかに移動可能である。可撓性ダイアフラム３０は、中心開口部４３を有し、そこを通って、プランジャー３６が挿入される。可撓性ダイアフラム３０は、上流または下流のいずれかへの可撓性ダイアフラム３０の運動がプランジャー３６に直接移るように、プランジャー３６に連結される。
【００２２】
上部保持具３２は、遠位末端１６に向かって、可撓性ダイアフラム３０の上流に位置している。上部保持具３２は、このハウジングの側壁１２の内壁２２から通路２４内に内向きに伸長しており、そして上面４６および下面４８を有する。プランジャー３６は、上部保持具３２にある中心開口部５０を通る。プランジャー３６は、中心開口部５０内を滑り可能である；しかしながら、プランジャー３６と中心開口部５０との間には、少なくとも実質的に液密のシールが形成される。
【００２３】
可撓性ダイアフラム３０と上部保持具３２との間には、排出口３８が位置している。排出口３８は、医用配管１０の側壁１２を通り、上部保持具３２と可撓性ダイアフラム３０との間で、正圧を蓄積させ、それゆえ、閉鎖位置から開放位置へと弁部材２０を起動する。
【００２４】
下部保持具３４は、近位末端１４に向かって、可撓性ダイアフラム３０の下流に位置している。下部保持具３４は、上部保持具３２と類似している。従って、下部保持具３４は、医用配管１０の側壁１２の内壁２２から通路２４内に内向きに伸長し、そして上面５２および下面５４を有する。プランジャー３６は、下部保持具３４にある中心開口部５６を通る。プランジャー３６は、下部保持具３４の中心開口部３６内で滑り可能であり、そしてプランジャー３６と中心開口部５６との間には、少なくとも実質的に液密のシールが形成される。
【００２５】
プランジャー３６は、一般に、細長円筒形部材であり、これは、第一および第二末端５８、６０を有し、各々の一部は、それぞれ、上部および下部保持具３２、３４の中心開口部５０、５６内に配置されている。第二末端６０は、ヘッド部分６２を含み、これは、ストップとして作用して、第二末端６０が下部保持具３４から完全に引き出されるのを阻止する。
【００２６】
プランジャー３６はまた、流体貫流通路６４および真空通路６６を含む。貫流通路６４は、ポートとして作用し、これは、この流体物質を、近位末端１４から、プランジャー３６を通って、医用配管１０の遠位末端１６へと移動する。従って、貫流通路６４は、出口６８（これは、プランジャー３６の第一末端５８に位置している）および入口７０（これは、プランジャー３６の第二末端６０に位置している）を有する。弁部材２０が閉鎖位置にあるとき、入口７０は、下部保持具３４、すなわち、第二保持具３４の一部により、密封または閉塞される。
【００２７】
真空通路６６は、ユーザーが与えた真空圧力を、プランジャー３６を通って、真空チャンバ７２に移動する。真空通路６６は、それゆえ、入口７４（これは、プランジャー３６の第一末端５８に位置している）および出口７６（これは、真空チャンバ７２内に位置している）を有する。
【００２８】
使用中、ユーザーは、医用チューブ１０の遠位末端１６で吸い込む。吸い込みを実行中に作り出される真空圧力は、真空通路６６を通って、真空チャンバ７２へと移動される。図３で示すように、可撓性ダイアフラム３０は、医用配管１０の近位末端１４の方へと下流に引き出される。プランジャー３０は、通路６４を通る流体流れの入口７０が下部保持具３４の一部で作られたシールから解除されるように、ダイアフラム３０と共に下流に移動し、その流体物質は、通路６４を通る流体流れによって、近位末端１４から遠位末端１６へと自由に流れる。この真空圧力が解除されるとき、ダイアフラム３０は、その初期位置に戻り、通路６４を通る流体流れは、下部保持具３４の一部に対して、解除される。
【００２９】
排出口３８と共に、ダイアフラム３０は、指標圧力ＰＩを受けることが理解される。本発明の１形態では、指標圧力ＰＩは、大気圧であり得る。ダイアフラム３０を引き出して弁１０を開くために、ユーザーが部分真空（これは、圧力Ｐ２で表わされる（図３））を加えることができる。
【００３０】
弁１０または配管１０の第二実施形態は、図４〜７で図示されている。この実施形態はまた、可撓性ダイアフラムを含む。この実施形態の可撓性ダイアフラムは、ユーザーが与えた外力（これは、真空圧力、あるいは、正圧の形態をとる）により起動できる点で、第一実施形態の可撓性ダイアフラムとは異なる。
【００３１】
弁１０は、ハウジング８１を有し、これは、出口開口部と入口開口部との間で、通路を規定している。このハウジングは、内壁８３を有する。この実施形態の弁部材２０は、ポート８０、またはその内壁を通る内部開口部８０を含む。内壁８３は、この通路を、第一チャンバと第二チャンバに分割する。弁１０はまた、バネ装填ダイアフラム８２を有し、これは、このハウジングのアパーチャ内に嵌る。ダイアフラム８２は、ユーザーが与えた外力、およびプランジャー８４に応答性である。ポート８０は、医用配管１０の近位末端１４と遠位末端１６との間に位置付けられ、そして弁部材２０の一部であり、そこを通って、この流体物質は、ユーザーに送達されるように移動しなければならない。
【００３２】
ダイアフラム８２は、上面８６および下面８８を有し、そしてアパーチャ９０（これは、ダイアフラム８２の外周部分９２と側壁１２との間で液密シールが形成されるように、この医用配管の側壁１２で形成される）内に取り付けられる。ダイアフラム８２は、ドーム形である。ダイアフラム８２の一部は、医用配管１０の側壁１２の内壁２２から通路２４内に内向きに伸長している。ダイアフラム８２は、真空圧力（これは、医用配管１０の遠位末端１６を引き出すことにより、または例えば、ユーザーの指を使ってダイアフラム８２の上面８６に正圧を与えることにより、ユーザーにより、与えられる）に応答して、側壁１２から内向きに、通路２４内に移動可能である。
【００３３】
プランジャー８４またはストップは、ダイアフラム８２の下面８８から、通路２４内へと内向きに伸長する。この実施形態では、プランジャー８４は、実際にダイアフラム８２の一部であるように、ダイアフラム８２と一体化される。それゆえ、ダイアフラム８２の運動は、プランジャー８４に移る。ダイアフラム８２は、この流体物質がそこを流れることができないように、プランジャー８４の一部が少なくとも実質的にポート８０を密封するように、偏る。
【００３４】
プランジャー８４は、一般に、細長円筒部材であり、これは、第一および第二末端９４、９６を有する。このプランジャーは、その長さに沿って、テーパが付けられている。第二末端９６は、ヘッド部分９８を含み、これは、弁部材２０が閉鎖位置にあるとき、ポート８０内にて、ストップ、プラグ、閉塞部または制限部として作用して、流体物質の流れがポート８０を通って流れるのを阻止する。
【００３５】
使用中、ユーザーは、流体物質を口に送達したいとき、医用配管１０の遠位末端１６を内向きに引き出すことができる。このダイアフラムの外面は、指標圧力を受け得る。好ましい１実施形態では、この指標圧力は、大気圧であり得る。部分圧力（これは、図７では、Ｐ２として表わされる）は、ダイアフラム８２の一部に作用する。ダイアフラム８２は、側壁１２から通路２４へと内向きに偏向可能である。同様に、プランジャー８４は、内向きに移動し、このストップ、プラグ、閉塞部または制限部は、ポート８０から取り除かれ、その流体物質は、そこを流れることができる。
【００３６】
あるいは、ユーザーは、ダイアフラム８２の上面８６に正圧を与えることができる。この正圧により、ダイアフラム８２は、通路２４に内向きに押し付けられる。この場合もやはり、プランジャー８４は、内向きに移動し、このストップ、プラグ、閉塞部または制限部は、ポート８０から取り除かれ、この流体は、そこを流れることができる。
【００３７】
図６は、ダイアフラム８２および内壁８３の僅かに代替的な実施形態を示す。内壁８３の内部開口部は、テーパ付き内面を有する。ダイアフラム８２は、ストップを有し、これは、周辺曲面を有する。この表面は、ダイアフラム８２が第二位置または偏向位置にあるとき、この開口部のテーパ付き内面から間隔を開けて配置されている。
【００３８】
弁１０の別の実施形態は、図８〜１３で図示されている。この実施形態では、弁部材２０は、カモノハシ機構を含む。この実施形態の弁部材２０はまた、真空圧または正圧（これは、医用配管１０の側壁１２にかかる）のいずれかによって、その開放状態で配置され得る。
【００３９】
図８〜１３の実施形態の弁部材２０は、細孔部材１００を含む。細孔部材１００は、中心部１０２を有し、これは、弁部材２０が開放状態にあるとき、拡大する。中心部１０２は、その閉鎖位置で、少なくとも実質的に密封され、そしてユーザーが与える外力に応答性であり、ここで、拡張中心部１０２は、流体物質の流れがそこを通ることができるように、拡大する。
【００４０】
中心部１０２は、内向きテーパ付き可撓性カモノハシ部分１０４を含む。内向きテーパ付き可撓性カモノハシ部分１０４は、ヒンジ部分１０６および分離可能スリット１０８を有し、このヒンジ部分は、医用チューブ１０の側壁１２に接合され、この分離可能スリットは、通路２４内に位置しており、内壁２２から離れている。分離可能スリット１０８は、弁部材２０が閉鎖位置にあるとき、少なくとも実質的に密封される。弁部材２０は、この側壁の偏向に応答性であり、この弁部材を開く。
【００４１】
ヒンジ部分１０６は、好ましくは、ヒンジ部分１０６の近位にある領域で、ユーザーが側壁１２に加える外力に応答性である。この外力を加えたとき、内向きテーパ付き可撓性カモノハシ部分１０４の一部は、通路２４へと内向きに位置づけされる。分離可能スリット１０８は、分かれて、流体物質の流れがそこを通ることができるようになる。
【００４２】
真空圧力で弁部材２０を操作するために、ユーザーは、遠位末端１６に真空圧力を加える。一対の支持部材１１０は、弁部材２０から、配管１０の遠位末端１６に向かって、上流に伸長する。支持部材１１０は、スペーサとして作用して、ユーザーが遠位末端１６に供給した真空圧力に応答して配管１０がそれ自体の上に崩壊するのを防止する。この真空圧力は、側壁１２を崩壊させ、順に、分離可能スリット１０８を開いて、図１２で示すような流体の流れを可能にする。
【００４３】
さらに、弁部材２０は、このハウジングの中間部にて、この通路に位置付けられる。その内部側壁面には、第一支持部材が装着され、これは、このハウジングの一部に沿って、伸長する。この支持部材は、この側壁の偏向と共に起動されて、この弁部材の開放を制御する。この支持部材は、リブを含む。このリブは、この近位末端の近くから弁部材の近くまで伸長する。弁１０はまた、第二支持部材を有することができる。このハウジングは、実質的に円形の断面形状を有することができ、ここで、第二支持部材は、円周に沿って、第一支持部材から間隔を開けて配置されている。このリブは、ほぼアーチ形の縦断面を有することができる。このリブは、最小高さから最大高さまで、高さを増し、ここで、最大高さは、この近位末端に近接している。このリブは、側縁を有し、これは、リブが内部側壁から離れて伸長するにつれて、内向きおよび外向きにテーパが付けられている。このリブは、このハウジングが完全に崩壊するのを防止するのに有効である。
【００４４】
弁１０の他の実施形態は、図１４〜１６で図示されている。この実施形態はまた、カモノハシ機構を有する弁部材２０を含む。弁１０はまた、滑り可能部材を有し、これは、このハウジング内で往復運動するために、取り付けられる。それゆえ、弁部材２０は、細孔部材１１２を含む。細孔部材１１２は、中心部１１４を有し、これは、拡張することにより、開く。中心部１１４は、その閉鎖位置で、少なくとも実質的に密封され、そしてユーザーが与える外力に応答性であり、ここで、拡張中心部１１４は、拡大して、そこに流体物質の流れを通す。
【００４５】
中心部１１４は、内向きテーパ付き可撓性カモノハシ部分１１６を含む。内向きテーパ付き可撓性カモノハシ部分１１６は、ヒンジ部分１１８および分離可能スリット１１９を有し、このヒンジ部分は、側壁１２に接合され、この分離可能スリットは、通路２４内に位置しており、内壁２２から離れている。分離可能スリット１１９は、弁部材２０が閉鎖位置にあるとき、少なくとも実質的に密封される。
【００４６】
弁部材２０は、さらに、ピストン１２０および排出口穴１２２を含む。ピストン１２０は、少なくとも実質的に、医用配管１０の内壁２２に密封され、そしてユーザーが与えた外力に応答性して、通路２４内で滑り可能である。排出口穴１２２は、ピストン１２０と細孔部材１１２との間に位置しており、そして医用配管１０の側壁１２を通る。流体物質が医用配管１０から排出口穴１２２を通って漏れ出すのを防止するために、排出口穴１２２内には、疎水性フィルター１２３が位置している。
【００４７】
ピストン１２０は、中心チャンバ１２４、保持器１２６、管状部材１２８および弾性部材１３０を含む。中心チャンバ１２４は、ピストン１２０の内部を通り、内向きテーパ付き壁１３２を含む。内向きテーパ付き壁１３２は、弁部材２０が閉鎖位置にあるとき、内向きテーパ付き可撓性カモノハシ部分１１６と協同して、分離可能スリット１１８を密封する。それゆえ、テーパ付き可撓性カモノハシ部分１１６は、中心チャンバ１２４が分離可能スリット１１８を少なくとも実質的に密封して維持するために、一定の力を与えるように、中心チャンバ１２４内にぴったりと嵌る。
【００４８】
保持器１２６は、医用配管１０の遠位末端１６に向かって、中心チャンバ１２４の上流に位置している。保持器１２６は、側壁１２の内壁２２から通路２４内に内向きに伸長し、そして複数の流動穴１３４および１個の中心穴１３６を含む。保持器１２６の目的は、管状部材１２８を通路２４内で支持することにある。
【００４９】
管状部材１２８は、第一末端１３８および第二末端１４０を有する。第一末端１３８は、保持器１２６の中心穴１３６により、摩擦的に支持されており、そこを通って滑り可能である。第二末端１４０は、ピストン１２０に固定的に装着されている。その開放状態では、この流体物質は、内向きテーパ付き可撓性カモノハシ部分１１６、中心チャンバ１２４および管状部材１２８を通って移動する。
【００５０】
弾性部材１３０は、分離可能スリット１１８が中心チャンバ１２４内で少なくとも実質的に密封されるように、ピストン１２０に対して偏向力を与える。弾性部材１３０は、好ましくは、管状部材１２８の周りで、バネで巻き付けられ、そして保持器１２６に対して圧縮可能である。
【００５１】
弁１０は、滑り可能部材１３３をさらに有し、これは、このハウジング内に往復運動するために取り付けられ、そしてハウジングに加えた圧力に応答性である。この滑り可能部材は、第一位置（これは、この弁部材と接触して、弁部材を閉鎖位置で保持する）から第二位置（この位置では、弁部材は、その開放位置に移動する）に移動可能である。この滑り可能部材は、そこを通る流体流れを規定する。弾性部材１３０は、この滑り可能部材を第一位置に偏らせる。この滑り可能部材は、シールを有し、これは、この弁部材の一部に係合するチャンバを有する。このカモノハシ弁部材は、傾斜している外面を有する。このシールは、チャンバを有し、これは、内向きテーパ付き壁を有し、この壁は、そのカモノハシ弁傾斜外面に嵌るような寸法にされている。
【００５２】
使用中、ユーザーは、通路２４内で真空圧力が作り出されるように、遠位末端１６で内向きに吸い込む。この真空圧力は、保持器１２６にある流動穴１３４を通り、そしてピストン１２０を、弾性部材１３０により与えられた偏向力に対して、遠位末端１６に向かって、上流に移動させる。分離可能スリット１１８に対して中心チャンバ１２４により与えられた密封力が取り除かれ、この流体物質の流れは、近位末端１４から、細孔部材１１２、中心部材１２４および管状部材１２８を通って、遠位末端１６へと移動する。
【００５３】
他の実施形態は、図１７〜２０で図示されている。この実施形態では、弁部材２０は、可撓性ブラダー１４０を含む。可撓性ブラダー１４０は、医用配管１０の遠位末端１６に対してユーザーが与えた真空圧力に応答している。弁１０は、ハウジング１１を有し、これは、内面を有し、この内面は、そこに流動性物質を通すために、出口開口部と入口開口部との間の通路を規定している。
【００５４】
この実施形態の弁部材２０は、可撓性ブラダー１４０、保持器１４４および支持部材１４６を含む。可撓性ブラダー１４０は、一般に、加圧容器であり、これは、ユーザーが加えた真空圧力に応答して伸長して、弁部材２０を起動し、そして弁部材２０を開放位置に移す。可撓性ブラダー１４０は、内壁２２から間隔を開けて配置されるように、偏向可能である。可撓性ブラダー１４０は、密封リング部分１４８を含み、これは、弁部材２０が開放位置にあるとき、医用配管１０の内壁２２の一部と協同で係合して、少なくとも実質的な液密シールを形成する。この可撓性ブラダーを保持器１４４に装着する基部１５０は、医用配管１０の近位末端１４に向かって、下流に伸長する。
【００５５】
保持器１４４は、可撓性ブラダー１４０の下流に位置しており、医用配管１０の内壁２２から通路２４内に内向きに伸長する。保持器１４４にある複数の流動穴１５２により、流体物質の流れは、保持器１４４を通ることができる。可撓性ブラダー１４４の基部１５０は、保持器１４４の中心部に装着される。
【００５６】
支持部材１４６は、可撓性ブラダー４４が遠位末端１６に向かって伸長し過ぎるのを防止し、そして、ユーザーが供給した真空圧力に応答して医用配管１０の遠位末端１６がそれ自体の上に崩壊するのを防止する。従って、支持部材１４６は、内壁２２の長さに沿って、可撓性ブラダー１４４から遠位末端１６へと伸長する。支持部材１４６は、一般に、複数のリブ１５４を含み、これらは、内壁２２から内向きに伸長しており、ここで、通路２４の断面積は、複数のリブ１５４により、減少される。
【００５７】
他の実施形態は、図２１〜２３で図示されている。この実施形態では、弁部材２０は、ポペット、スプールまたはプランジャー１６０を含む。プランジャー１６０は、ユーザーが与えた真空圧力に応答性である。この実施形態の弁部材２０は、さらに、プランジャーハウジング１６２および排出口穴１６４（これは、このハウジングの側壁１２を通る）を含む。
【００５８】
プランジャー１６０は、プランジャーハウジング１６２内に取り付けられ、その中で滑り可能である。プランジャー１６０は、流体通路１６６を有し、これは、弁部材２０が閉鎖位置にあるとき、プランジャーハウジング１６２の一部に対して少なくとも実質的に密封されるように、閉塞される。流体通路１６６は、閉塞されず、通路２４と整列されて、弁部材２０が開放位置にあるとき、そこに流体物質の流れを通す。
【００５９】
プランジャーハウジング１６２は、真空チャンバ１６８および排出口チャンバ１７０を含む。弾性部材１７２は、一般に、真空チャンバ１６８内に取り付けられ、プランジャー１６０を排出口チャンバ１６８に偏らせ、ここで、流体通路１６６は、プランジャーハウジング１６２の一部で閉塞される。弾性部材１７２は、好ましくは、圧縮バネである。排出口穴１６４は、排出口チャンバ１６８内に位置している。
【００６０】
この実施形態の配管の遠位末端１６は、真空ダクト１７４および流体ダクト１７６を含む。真空および流体ダクト１７４、１７６は、弁部材２０と遠位末端１６の長さに沿った間の通路２４内に位置している。プランジャー１６０の流体通路１６６は、弁部材２０が開放位置にあるとき、流体ダクト１７６と整列される。真空ダクト１７４は、真空チャンバ１６８と整列される。
【００６１】
ハウジング１６２は、第一流体導管をハウジングと流体連絡させ得る。プランジャー１６０、すなわち、弁部材１６０は、このハウジング内で往復運動するように、取り付けられる。弁部材１６２は、その間で、第二流体導管を規定する。弁部材１６２は、第一位置から、このハウジングを通って、第二位置へと移動可能であり、第一位置では、第一流体導管は、第二流体導管と実質的に同心円状に配置されて、第三流体導管を提供し（図２３）、また、第二位置では、第一流体導管は、第二流体導管と流体連絡しない（図２２）。真空ダクト１７４、すなわち、真空導管１７４は、このハウジングと流体連絡している。
【００６２】
この実施形態では、ユーザーが与えた外力は、真空圧力である。この真空圧力は、真空ダクト１７４を通って加えられる。この真空圧力は、プランジャー１６０を弾性部材１７２に圧縮し、流体通路１６６は、その流体物質の流れが配管中を通ってユーザーに移動できるように、通路２４と整列される。それゆえ、弁部材１６０は、この真空導管を通ってハウジングに加えられた負圧に応答性である。バネの形状の偏向部材１７２は、弁部材１６０を第二位置に偏らせる。弁部材１６０は、このハウジングを、拡大チャンバと真空チャンバとに分割する。この真空ダクトは、この真空チャンバと流体連絡している。
【００６３】
他の実施形態は、図２４〜２６で図示している。この実施形態では、弁部材２０は、機械的ゲート機構１８０を含み、これは、ユーザーが与えた外力に応答性である。弁１０は、ハウジングを有し、これは、そこに流動性物質を通すために、出口開口部と入口開口部との間の通路を規定する。このハウジングは、内面を有する。
【００６４】
この実施形態の弁部材２０は、さらに、ポート１８２、排出口穴１８４（これは、この配管の側壁１２を通る）および弾性部材１８６を含む。排出口穴１８４は、疎水性フィルター１８８を含む。
【００６５】
ゲート１８０は、第一部分１９０および第二部分１９２を含む。閉鎖状態では、真空チャンバ１９４が形成されるように、第一部分１９０は、ポート１８２にて、少なくとも実質的に液密のシールを形成し、また、第二部分は、医用配管１０の内壁２２と少なくとも実質的に液密なシールを形成する。排出口穴１８４は、真空チャンバ１９４内に位置している。
【００６６】
ゲート１８０の第一および第二部分１９０、１９２は、ヒンジ部材１９６により分離される。ヒンジ部材１９６は、側壁１２の一部に旋回的に装着される。従って、ヒンジ部材１９６は、支点１９８（これは、内壁２２から通路２４へと内向きに伸長する）で、側壁１２に装着される。
【００６７】
弾性部材１８６は、弁部材２０が閉鎖位置で偏るように、ゲート１８０を偏らせるためにある。弾性部材１８６は、ゲート１８０の第二部分１９２および医用配管１０の内壁２２に固定的に装着される。それゆえ、この実施形態の弾性部材１８６は、好ましくは、戻りバネである。
【００６８】
使用中、ユーザーは、医用配管１０の遠位末端１６で内向きに吸い込む。この真空圧力は、ゲート１８０の第二部分１９２を、弾性部材１８６により与えられる偏向力に対して、遠位末端１６に向かって、上流に移動させる。それゆえ、ゲート１８０は、支点１９８の上に旋回する。弁部材２０は、それゆえ、開放位置にあり、この場所で、第一部分１９０は、近位末端１２の方へと下流に移動し、そして、ポート１８２内のシールは、解除されて、その流体物質の流れは、通路２４を通ることができる。この真空圧力を取り除くとき、ゲート１８０は、その初期位置に戻り、弁部材２０は、その閉鎖位置に戻る。
【００６９】
本発明の弁１０は、広範な種類の用途および応用を有する。弁１０は、熱い飲料または冷たい飲料だけでなく非炭酸飲料と併用するのが理想的である。弁１０は、飲料容器に連結できる。ユーザーは、このような容器を携帯して簡単に運ぶことができる。例えば、ジュースまたはミルクを入れる容器はまた、子供および幼児に使用できる。これらの容器はまた、弁１０を使用して容器を吊すハンガー部材を有し得る。これらの容器は、多数の異なるレクリエーション環境で使用できる。これらの容器はまた、活発なスポーツ活動に参加するとき、理想的である。本発明の範囲に含まれる用途には、工業用化学物質、薬物または任意の他の流動性物質の保管および分配がまた挙げられる。
【００７０】
本発明は、その精神または中心的特徴から逸脱することなく、他の特定の形状で具体化され得ることが分かる。本発明の実施形態は、従って、全ての点で、限定ではなく例示と見なすべきであり、本発明は、本明細書中で示した詳細には限定されない。
【図面の簡単な説明】
【００７１】
【図１】図１は、流体容器に装着した本発明の実施形態の透視図である。
【図２】図２は、閉鎖位置にある図１の弁部材の側面図である。
【図３】図３は、開放位置にある図１の弁部材の側面図である。
【図４】図４は、流体容器に装着した本発明の実施形態の透視図である。
【図５】図５は、閉鎖位置にある図４の弁部材の側面図である。
【図６】図６は、閉鎖位置でダイアフラムを使用する代替弁部材の側面図である。
【図７】図７は、開放位置にある図４の弁部材の側面図である。
【図８】図８は、本発明の実施形態の透視図である。
【図９】図９は、閉鎖位置にある図８の弁部材の側面図である。
【図１０】図１０は、図９のＡ−Ａに沿って取り出した図８の弁部材の図である。
【図１１】図１１は、図９のＢ１−Ｂ１に沿って取り出した図８の弁部材の図である。
【図１２】図１２は、開放位置にある図８の弁部材の側面図である。
【図１３】図１３は、図１２のＢ２−Ｂ２に沿って取り出した図８の弁部材の図である。
【図１４】図１４は、流体容器に装着した本発明の実施形態の透視図である。
【図１５】図１５は、閉鎖位置にある図１４の弁部材の側面図である。
【図１６】図１６は、開放位置にある図１４の弁部材の側面図である。
【図１７】図１７は、流体容器に装着した本発明の実施形態の透視図である。
【図１８】図１８は、閉鎖位置にある図１７の弁部材の側面図である。
【図１９】図１９は、図１８のＡ−Ａに沿って取り出した図１７の弁部材の図である。
【図２０】図２０は、開放位置にある図１７の弁部材の側面図である。
【図２１】図２１は、流体容器に装着した本発明の実施形態の透視図である。
【図２２】図２２は、閉鎖位置にある図２１の弁部材の側面図である。
【図２３】図２３は、開放位置にある図２１の弁部材の側面図である。
【図２４】図２４は、流体容器に装着した本発明の実施形態の透視図である。
【図２５】図２５は、閉鎖位置にある図２４の弁部材の側面図である。
【図２６】図２６は、開放位置にある図２４の弁部材の側面図である。
【図１】
2005518506.tif 000003
【図２】
2005518506.tif 000004
【図３】
2005518506.tif 000005
【図４】
2005518506.tif 000006
【図５】
2005518506.tif 000007
【図６】
2005518506.tif 000008
【図７】
2005518506.tif 000009
【図８】
2005518506.tif 000010
【図９】
2005518506.tif 000011
【図１０】
2005518506.tif 000012
【図１１】
2005518506.tif 000013
【図１２】
2005518506.tif 000014
【図１３】
2005518506.tif 000015
【図１４】
2005518506.tif 000016
【図１５】
2005518506.tif 000017
【図１６】
2005518506.tif 000018
【図１７】
2005518506.tif 000019
【図１８】
2005518506.tif 000020
【図１９】
2005518506.tif 000021
【図２０】
2005518506.tif 000022
【図２１】
2005518506.tif 000023
【図２２】
2005518506.tif 000024
【図２３】
2005518506.tif 000025
【図２４】
2005518506.tif 000026
【図２５】
2005518506.tif 000027
【図２６】
2005518506.tif 000028
【国際調査報告】
2005518506.tif 000029
2005518506.tif 000030
2005518506.tif 000031
2005518506.tif 000032
2005518506.tif 000033
2005518506.tif 000034
2005518506.tif 000035
2005518506.tif 000036